(57)【要約】【課題】救命胴衣の股紐を連結する股紐取り付けベルトを備えたヒップガードにおける着用感の向上を課題とする。【解決手段】臀部に装着される本体部１と、該本体部１に設けられてその伸縮性により太股に密着状態に巻回される太股ベルト４と、救命胴衣の股紐が連結可能な股紐取り付けベルト５とを備え、股紐取り付けベルト５は、太股に全周に亘って巻回される非伸縮性の主ベルト部２０を有し、股紐取り付けベルト５は、太股ベルト４の外側に重なり合うように設けられている。【選択図】      図１
2005042233.tif 000002
【特許請求の範囲】
【請求項１】
臀部に装着される本体部と、該本体部に設けられてその伸縮性により太股に密着状態に巻回される太股ベルトと、救命胴衣の股紐が連結可能な股紐取り付けベルトとを備え、股紐取り付けベルトは、太股に全周に亘って巻回される非伸縮性の主ベルト部を有し、股紐取り付けベルトは、太股ベルトの外側に重なり合うように設けられていることを特徴とするヒップガード。
【請求項２】
股紐取り付けベルトを通すためのベルト通しが設けられている請求項１記載のヒップガード。
【請求項３】
股紐取り付けベルトは、主ベルト部の所定区間を外側に弛ませるように該区間の両端位置を架橋すべく主ベルト部の内側に取り付けられた伸縮部を有している請求項１又は２記載のヒップガード。
【請求項４】
臀部に装着される本体部と、該本体部に設けられて救命胴衣の股紐が連結可能な股紐取り付けベルトとを備え、股紐取り付けベルトは、太股に全周に亘って巻回される非伸縮性の主ベルト部と、該主ベルト部の所定区間を外側に弛ませるように該区間の両端位置を架橋すべく主ベルト部の内側に取り付けられた伸縮部とを有していることを特徴とするヒップガード。
【発明の詳細な説明】
【０００１】
【発明の属する技術分野】
本発明は、ヒップガードの改良に関する。
【０００２】
【従来の技術】
従来、磯釣り等で磯に座るときに臀部を保護する目的でこの種のヒップガードが使用され、救命胴衣（フローティングベスト）の股紐を連結することができるものも既に提案している（下記特許文献１参照）。救命胴衣には、通常、落水時に救命胴衣が着用者から上方に抜けることを防止するための股紐が設けられている。該股紐は、救命胴衣の前身頃と後身頃とを着用者の股間を通して連結する構成である。
【０００３】
前記ヒップガードは、この救命胴衣の股紐を連結できる股紐取り付けベルトを備えている。該股紐取り付けベルトは、左右一対設けられて、左右の太股にそれぞれ巻回され、固定される。従って、この股紐取り付けベルトに救命胴衣の股紐を連結することにより、股紐を股間に通すことが不要になる。股紐を股間に通すことは外観上好ましくないとする釣り人もおり、また、股紐は動作上無理のない程度に緩く締めるため、だぶつきが生じたり垂れ下がったりして邪魔になることもあるので、股紐を股紐取り付けベルトに連結することの利点は多い。
【０００４】
【特許文献１】
特開２００１−３０９８８号公報
【０００５】
【発明が解決しようとする課題】
しかしながら、股紐取り付けベルトは、救命胴衣の股紐を連結する構造上、強度面から伸縮性を有していないので、着用者の動きに対する追従性が悪く、着用者の動きの妨げになりやすく、伸縮性を有していないので緩めに設定する必要もあり、着用感の改善の余地がある。
【０００６】
そこで本発明は、上記従来の問題点に鑑みて、救命胴衣の股紐を連結する股紐取り付けベルトを備えたヒップガードにおける着用感の向上を課題とするものである。
【０００７】
【課題を解決するための手段】
本発明は、上記課題を解決すべくなされたものであり、本発明に係るヒップガードは、臀部に装着される本体部と、該本体部に設けられてその伸縮性により太股に密着状態に巻回される太股ベルトと、救命胴衣の股紐が連結可能な股紐取り付けベルトとを備え、股紐取り付けベルトは、太股に全周に亘って巻回される非伸縮性の主ベルト部を有し、股紐取り付けベルトは、太股ベルトの外側に重なり合うように設けられていることを特徴とする。
【０００８】
特に、股紐取り付けベルトを通すためのベルト通しが設けられていることが好ましく、股紐取り付けベルトが緩くなってもベルト通しに保持されているので局所的に過度に弛んだり垂れ下がったりすることがない。
【０００９】
また、股紐取り付けベルトは、主ベルト部の所定区間を外側に弛ませるように該区間の両端位置を架橋すべく主ベルト部の内側に取り付けられた伸縮部を有していることが好ましい。太股ベルトの伸縮に応じて伸縮部が所定量伸縮するので股紐取り付けベルトをしっかりと巻回させることができる。
【００１０】
また、本発明に係るヒップガードは、臀部に装着される本体部と、該本体部に設けられて救命胴衣の股紐が連結可能な股紐取り付けベルトとを備え、股紐取り付けベルトは、太股に全周に亘って巻回される非伸縮性の主ベルト部と、該主ベルト部の所定区間を外側に弛ませるように該区間の両端位置を架橋すべく主ベルト部の内側に取り付けられた伸縮部とを有していることを特徴とする。
【００１１】
【発明の実施の形態】
以下、本発明に係るヒップガードの一実施形態として、図１乃至図３を参酌しつつ説明する。
図１にヒップガードを表側から見た展開状態が示されている。該ヒップガードは、臀部の外側に位置して臀部を保護する本体部１と、該本体部１の上部に側方に向けて帯状に延設された左右一対の腰ベルト２と、本体部１の下部に側方に向けて延設された左右一対の下部側方突片３と、本体部１の下部に下方に向けて帯状に延設された左右一対の太股ベルト４と、救命胴衣の股紐が連結可能な股紐取り付けベルト５とを備えている。
【００１２】
前記本体部１と腰ベルト２と下部側方突片３と太股ベルト４は、布体からなり一体に縫製されている。布体としては、伸縮性とクッション性を有する素材が使用され、例えば、クロロプレンゴムや発泡ゴムなどの各種のゴムが使用される。
【００１３】
前記腰ベルト２は、図２に示すように着用者の腰に巻回されて互いの先端部同士が連結されることで環状となり、これによりヒップガードは着用者に装着されると共にその上部が固定される。この腰ベルト２同士の連結は各種の連結手段を採用できるが、本実施形態では面ファスナー６が使用されている。尚、腰ベルト２は伸縮性を有しているので、その伸縮性により腰に密着状態に巻回され保持される。
【００１４】
前記下部側方突片３は、側方の先端ほど先細りになる略三角形状に形成され、その表面側には面ファスナー７の一方（雌側、ループ側）が設けられている。この下部側方突片３は、図２に示す着用時において太股の外側から前側へと回される。
【００１５】
前記太股ベルト４は、本体部１の下部の左右方向略中央に位置して、下方に向けて略直線状に延設されている。該太股ベルト４は、図２に示す着用時において股間から太股の前側へと回されてそれぞれ前記下部側方突片３に連結される。この連結により、下部側方突片３と太股ベルト４は環状となる。尚、主として太股ベルト４が伸縮性を有しているので、その伸縮性により太股に密着状態に巻回保持される。また、太股ベルト４と下部側方突片３との連結についても各種の手段が採用できるが、上述したように本実施形態では面ファスナー７が採用されている。
【００１６】
前記股紐取り付けベルト５は、左右一対設けられ、それぞれ太股ベルト４の外側に重なるようにして配置されると共に、その下端部は太股ベルト４の先端部まで達し、その上端部は下部側方突片３の基部まで達して例えばその上端部の一箇所で本体部１に縫着されている。図１の符号Ａが股紐取り付けベルト５の本体部１への縫着部である。また、股紐取り付けベルト５は、本体部１の下部及び太股ベルト４に間隔をおいて設けられたベルト通し８に通されて所定位置に保持される。尚、本実施形態ではベルト通し８は伸縮性を有しているが、ベルト通し８の素材、構造は適宜変更可能である。
【００１７】
股紐取り付けベルト５は、非伸縮性の主ベルト部２０を有している。主ベルト部２０の両端にはそれぞれ互いに係脱自在に係合するバックル２１，２２が取り付けられ、両バックル２１，２２を係合させることで主ベルト部２０は環状となって太股の全周に巻回される。また、一方のバックル２２には長さ調節機構が設けられ、これにより主ベルト部２０の長さ、ひいては股紐取り付けベルト５の長さが調節可能である。尚、長さ調節機構は、例えば長さ調節後の主ベルト部２０を摩擦により保持する構造である。
【００１８】
また、該主ベルト部２０には、股紐を連結するための股紐挿通部２３が形成されている。該股紐挿通部２３は、環状に形成されていて、主ベルト部２０の例えば上端部に一箇所設けられている。該股紐挿通部２３に股紐を挿通することで股間に股紐を通す必要がなくなる。尚、左右の股紐取り付けベルト５に一つずつ股紐挿通部２３が設けられているが、これらの股紐挿通部２３は着用時においては着用者の腰あるいは太股の側方に位置する。また、股紐挿通部２３は、主ベルト部２０の本体部１への縫着部の近傍に形成されている。
【００１９】
また、股紐取り付けベルト５は、主ベルト部２０の内側所定位置に伸縮ベルト部２４（伸縮部）を有している。該伸縮ベルト部２４は、股紐取り付けベルト５（主ベルト部２０）の長手方向に伸縮可能である。詳細には、図３（イ）に示すように、伸縮ベルト部２４は、主ベルト部２０の所定区間２５を外側に弛ませるように該区間２５の両端位置２５ａを架橋すべく設けられている。即ち、伸縮ベルト部２４は主ベルト部２０の所定区間２５よりも短い自由長を有し、その両端２４ａが主ベルト部２０の所定区間２５の両端位置２５ａに縫着され、これにより主ベルト部２０は、所定区間２５において伸縮ベルト部２５から離間し、外側に湾曲して膨らむように弛んだ状態となる。従って、その所定区間２５が図３（ロ）のように弛まなくなるまで伸縮ベルト部２４は伸張して主ベルト部２０と離間することなく重なり合う。股紐取り付けベルト５には、この伸縮ベルト部２４が取り付けられた区間２５が複数設けられ、本実施形態では合計四箇所設けられている。尚、該所定区間２５は、例えば隣り合うベルト通し８間に位置させる。
【００２０】
ここで、主ベルト部２０は上述したように伸縮性を実質的に有しないものであるが、例えば、所定幅の織物が使用される。股紐を連結することから主ベルト部２０には強度が要求される。従って、強度の大きい編物が好ましく、各種の織テープが使用される。例えば、ポリプロピレンやポリエステル、アクリル、ナイロン等の織テープが使用され、特に、ポリプロピレン織テープが好ましい。また、伸縮ベルト部２４は、伸縮性を有する素材、例えば、ゴムベルトが使用される。
【００２１】
以上のように構成されたヒップガードにおいては、腰ベルト２を腰に巻回することで装着され、本体部１は臀部に位置することとなる。そして、太股ベルト４を股間から太股の前側に回して下部側方突片３と連結するが、その際、太股ベルト４の伸縮性を利用してそれを伸ばすようにしながら下部側方突片３に連結する。これにより太股ベルト４は太股に密着状態となり太股にしっかりと固定することができる。そして、股紐取り付けベルト５の両バックル２１，２２を係合させて股紐取り付けベルト５を環状とする。これにより、股紐取り付けベルト５（主ベルト部２０）は太股を全周に亘って巻回することとなる。また、股紐挿通部２３に股紐を挿通し連結しても、股紐取り付けベルト５が環状になるので、落水時に股紐に上方への力が作用しても、十分にその力を受け止めることができて、救命胴衣の上方への抜け落ちを防止できる。しかも、股紐取り付けベルト５の主ベルト部２０は伸縮性を有していないので、股紐を確実に連結することができ、股紐及び股紐取り付けベルト５を介して救命胴衣を着用者にしっかりと固定することができる。
【００２２】
また、股紐取り付けベルト５と着用者との間にはクッション性を有する太股ベルト４、本体部１、下部側方突片３が位置しているので、硬い股紐取り付けベルト５が着用者に当接することが防止され、従って良好な着用感が得られる。仮に股紐取り付けベルト５を長さ調節機構により短めに調節して太股にしっかりと巻回しても、太股ベルト４等がクッションとなるので着用感が悪くなるということがない。
【００２３】
この状態で着用者が動いても、それに伴って太股ベルト４は伸縮して追従するので、太股ベルト４がずれたりゆるんだりすることなく、太股への密着状態が維持される。従って、ヒップガードが時間の経過と共にゆるんだりずれたりすることが防止される。しかも、太股ベルト４の外側に位置する股紐取り付けベルト５も、伸縮ベルト部２４が伸張することにより、太股ベルト４の伸張に所定量追従することができる。この股紐取り付けベルト５が太股ベルト４の伸縮に所定量追従することにより、股紐取り付けベルト５の緩みを防止でき、ひいては救命胴衣の上下方向のぐらつきを抑制できる。また、股紐取り付けベルト５の緩みが防止されるので、股紐取り付けベルト５の太股ベルト４との良好な一体性も得られ、結果として良好な着用感が維持される。更に、股紐取り付けベルト８がベルト通し８に挿通されているので、仮に股紐取り付けベルト８が緩くなっても、局所的に大きく弛んだり垂れ下がったりすることが防止される。
【００２４】
尚、本実施形態では、太股ベルト４の外側に股紐取り付けベルト５が重なり合うように設けられているが、太股ベルト４を有さない構成であってもよい。例えば、図４のように、太股ベルト４がなく、下部側方突片３もない構成としてもよい。この場合も上記実施形態と同様の股紐取り付けベルト５を使用できる。このように太股ベルト４を省略した構成では、股紐取り付けベルト５は太股ベルト４の代わりとなり、この股紐取り付けベルト５を太股に巻回することでヒップガードの下部を着用者に固定する。かかる構成においても、着用者の動きに応じて伸縮ベルト部２４が伸縮するので、着用者の動きが妨げられにくく、また、股紐取り付けベルト５の緩みも防止され、長時間着用していても良好な着用感が維持される。
【００２５】
尚、図１に示したように太股ベルト４を有する構成においては、伸縮ベルト部２４を有しない股紐取り付けベルト５を使用してもよい。その構成であっても、着用者の動きに応じて太股ベルト４が伸縮して追従するので着用者はスムーズに動くことができ、良好な着用感が得られる。また、股紐取り付けベルト５の内側にクッション性を有する太股ベルト４が介在するので、その点でも良好な着用感が得られる。
尚、太股ベルト４の外側に股紐取り付けベルト５を配置する場合であって伸縮ベルト部２４を設けない場合には、股紐取り付けベルト５を緩めに設定しておくと共に図１のように本体部１や太股ベルト４にベルト通し８を設けて股紐取り付けベルト５の局所的に偏った弛みや垂れ下がりを防止することが好ましく、あるいは、ベルト通し８を設けずに、股紐取り付けベルト５の主ベルト部２０の所定区間２５を外側に弛ませるようにして該区間２５の両端位置２５ａを太股ベルト４に直接縫着することも好ましい。
【００２６】
また更に、上記実施形態では、伸縮部として主ベルト部２０と略同幅の伸縮ベルト部２４を設けたが、この構成に限らず、例えば、主ベルト部２０よりも幅狭のものを使用したり、あるいは、伸縮部として糸状のものを一本あるいは複数本使用してもよく、何れにしても、主ベルト部２０の長手方向に伸縮性を有する構成であればよい。
【００２７】
【発明の効果】
以上のように、本発明に係るヒップガードにあっては、股紐取り付けベルトが太股ベルトの外側に重なり合うように設けられているので、股紐取り付けベルトの内側に位置する太股ベルトが着用者の動きに応じて伸縮するので、着用者の動きが妨げられず、良好な着用感が得られる。
【００２８】
また、本発明に係るヒップガードにあっては、外側に弛んだ非伸縮性の主ベルト部の内側に伸縮部が取り付けられて着用者の動きに応じて伸縮部が伸縮するので、着用者の動きが妨げられず、良好な着用感が得られる。
【図面の簡単な説明】
【図１】本発明の一実施形態におけるヒップガードを示す正面図。
【図２】同ヒップガードの着用状態を正面から見た図。
【図３】同ヒップガードの要部拡大図。
【図４】本発明の他の実施形態におけるヒップガードを示す正面図。
【符号の説明】
１…本体部、４…太股ベルト、５…股紐取り付けベルト、８…ベルト通し、２０…主ベルト部、２１，２２…バックル、２３…股紐挿通部、２４…伸縮ベルト部（伸縮部）、２５…所定区間
【図１】
2005042233.tif 000003
【図２】
2005042233.tif 000004
【図３】
2005042233.tif 000005
【図４】
2005042233.tif 000006